(57)【特許請求の範囲】
【請求項１】
便器に設けられ、所定の方向へ進退可能に構成された第１ノズルと、所定の方向へ進退可能に構成された第２ノズルと、を有する局部洗浄装置において、
前記第１ノズルは、前記第２ノズルの進退動作に連動して所定の方向へ進退するように構成され、
前記第２ノズルは、前記第１ノズルが進退可能な範囲の最前端よりも前側の位置において機能を作動可能に構成されていることを特徴とする局部洗浄装置。
【請求項２】
前記第２ノズルが進退可能な範囲は、前記第１ノズルが進退可能な範囲よりも大きい請求項１に記載の局部洗浄装置。
【請求項３】
前記第１ノズルが前記所定の方向へ進退可能な開口部を開閉可能な第１シャッターを有し、
前記第１ノズルは、前記第２ノズルの進退動作および前記第１シャッターの開閉動作に連動して所定の方向へ進退するように構成されている請求項１または２のいずれか一項に記載の局部洗浄装置。
【請求項４】
前記第１シャッターの開閉動作は、前記第２ノズルの進退動作に連動している請求項３に記載の局部洗浄装置。
【請求項５】
前記第２ノズルの進退動作は、モータの駆動によって行われている請求項１乃至４のいずれか一項に記載の局部洗浄装置。
【請求項６】
前記第１ノズルは、前進した位置で使用者の人体局部に温風を吹き出す吹き出し口が設けられた温風ノズルであって、前記吹き出し口を開閉可能な第２シャッターが設けられている請求項１乃至５のいずれか一項に記載の局部洗浄装置。
【発明の詳細な説明】
【技術分野】
【０００１】
本発明は、局部洗浄装置に関する。
【背景技術】
【０００２】
従来、便座に着座する使用者の局部を洗浄する洗浄ノズルおよび便座に着座する使用者の局部を乾燥する温風ノズル（ダクト）を有した局部洗浄装置が知られている。このような局部洗浄装置には、温風ノズルの吹き出し口から内部への飛沫の浸入を防止するために、回動して開閉するシャッターが設置されることが多い。
そして、このようなシャッターを取り付ける際には、洗浄ノズル用のシャッターと温風ノズル用のシャッターとをそれぞれ設置する場合と、一体に設置する場合がある。
【０００３】
また、洗浄ノズルと温風ノズルとが同一のケースに収容され、洗浄ノズルがケースの前方に形成された開口部から前方に突出可能であるとともに、温風ノズルから吹き出だした温風が開口部を通って前方に吹き出るように構成されていて、ケースの開口部および温風ノズルの吹き出し口のそれぞれにシャッターが設置された局部洗浄装置が知られている（例えば、特許文献１参照）。
【先行技術文献】
【特許文献】
【０００４】
【特許文献１】特開２００８−１２１３０５号公報
【発明の概要】
【発明が解決しようとする課題】
【０００５】
しかしながら、温風ノズル用のシャッターと洗浄ノズルのシャッターとがそれぞれ設置されている場合、これらのシャッターの間に隙間があると、この隙間に飛沫が浸入してしまうという問題がある。
また、シャッターが温風ノズルから吹き出る温風の風圧によって回動する場合、洗浄ノズル用のシャッターと温風ノズル用のシャッターとが一体に形成されていると、温風ノズル専用のシャッターと比べて大型となるため、温風の風圧によってシャッターを回動させることが難しくなる。
【０００６】
また、特許文献１に開示されている局部洗浄装置のように、温風ノズルの吹き出し口およびケースの開口部にそれぞれシャッターが設置されている場合、ケースの開口部に設置されたシャッターによって、温風ノズルから吹き出た温風の流路が妨げられないようにする必要がある。
このため、温風ノズルを前後方向に進退可能な構成にすると、温風ノズルを進退させるためのモータなどが必要となり、製造コストがかかるという問題がある。
【０００７】
そこで、本発明は、製造コストを削減しつつノズルを所定の方向へ進退させることができる局部洗浄装置を提供することを目的とする。
【課題を解決するための手段】
【０００８】
上記目的を達成するため、本発明に係る局部洗浄装置は、便器に設けられ、所定の方向へ進退可能に構成された第１ノズルと、所定の方向へ進退可能に構成された第２ノズルと、を有する局部洗浄装置において、前記第１ノズルは、前記第２ノズルの進退動作に連動して所定の方向へ進退するように構成され、前記第２ノズルは、前記第１ノズルが進退可能な範囲の最前端よりも前側の位置において機能を作動可能に構成されていることを特徴とする。
【０００９】
本発明では、第１ノズルは、第１ノズルが所定の方向へ進退可能な開口部を開閉可能な第１シャッターの開閉動作、および所定の方向へ進退可能な第２ノズルの進退動作の少なくとも１つに連動して所定の方向へ進退することにより、第１ノズルを所定の方向へ進退させるためのモータなどの駆動手段を設置しなくても第１ノズルを所定の方向へ進退させることができて、局部洗浄装置の製造コストを削減できる。
【００１０】
また、本発明に係る局部洗浄装置では、前記第２ノズルが進退可能な範囲は、前記第１ノズルが進退可能な範囲よりも大きくてもよい。
また、本発明に係る局部洗浄装置では、前記第１ノズルが前記所定の方向へ進退可能な開口部を開閉可能な第１シャッターを有し、前記第１ノズルは、前記第２ノズルの進退動作および前記第１シャッターの開閉動作に連動して所定の方向へ進退するように構成されていてもよい。
また、本発明に係る局部洗浄装置では、前記第１シャッターの開閉動作は、前記第２ノズルの進退動作に連動していてもよい。
また、本発明に係る局部洗浄装置では、前記第２ノズルの進退動作は、モータの駆動によって行われていることが好ましい。
このような構成とすることにより、第１ノズルが連動する第１シャッターの開閉動作および第２ノズルの進退動作の少なくとも１つが、モータの駆動によって確実に行われるため、第１ノズルを所定の方向へ確実に進退させることができる。
【００１１】
また、本発明に係る局部洗浄装置では、前記第１ノズルは、前進した位置で使用者の人体局部に温風を吹き出す吹き出し口が設けられた温風ノズルであって、前記吹き出し口を開閉可能な第２シャッターが設けられていることが好ましい。
このような構成とすることにより、温風が吹き出されていない状態において温風ノズルの内部に飛沫が浸入することを防止できる。
【発明の効果】
【００１２】
本発明によれば、第１ノズルは、第１ノズルが所定の方向へ進退可能な開口部を開閉可能な第１シャッターの開閉動作、および所定の方向へ進退可能な第２ノズルの進退動作の少なくとも１つに連動して所定の方向へ進退することにより、第１ノズルを所定の方向へ進退させるためのモータなどの駆動手段を設置しなくても第１ノズルを所定の方向へ進退させることができて、局部洗浄装置の製造コストを削減できる。
【図面の簡単な説明】
【００１３】
【図１】本発明の実施形態による局部洗浄装置の一例を示す斜視図である。
【図２】温風ノズル、第１洗浄ノズル、第２洗浄ノズルおよび第１シャッターを説明する図で局部洗浄装置の筐体部を省略した斜視図である。
【図３】第１シャッターを説明する分解斜視図である。
【図４】温風ノズル、第１シャッターを後方から見た斜視図である。
【図５】温風ノズルを側方から見た斜視図である。
【図６】第１シャッターが開口凹部を閉鎖している状態を示す図である。
【図７】第１シャッターが開口凹部を開放し始めた状態を示す図である。
【図８】第１シャッターが開口凹部を開放した状態を示す図である。
【図９】第１シャッターが開口凹部を閉鎖し始めた状態を示す図である。
【図１０】図９に続く第１シャッターが開口凹部を閉鎖する方向に回動している状態を示す図である。
【図１１】図１０に続く第１シャッターが開口凹部を閉鎖した状態を示す図である。
【発明を実施するための形態】
【００１４】
以下、本発明の実施形態による局部洗浄装置について、図１乃至図１１に基づいて説明する。
図１に示すように、本実施形態による局部洗浄装置１は、便器Ｔの上部に取り付けられた機能部２と、機能部２に回動可能に設けられ、使用者の臀部を支持する便座３と、を備えている。
ここで、便座３に着座する使用者の顔が向く方向を前方とし、便座３に着座する使用者の背中が向く方向を後方とする。また、前後方向と直交する水平方向であって局部洗浄装置１の幅方向を左右方向とする。
【００１５】
機能部２は、外殻となる筐体部４と、筐体部４に収容され筐体部４に形成された開口凹部（開口部）４１からそれぞれ進退可能とされた温風ノズル（第１ノズル）５、第１洗浄ノズル（第２ノズル）６Ａおよび第２洗浄ノズル（第２ノズル）６Ｂと、筐体部４に形成された開口凹部４１を開閉する第１シャッター７と、第１シャッター７の開閉動作に連動して温風ノズル５を進退させるリンク機構８と、を有している。
【００１６】
筐体部４は、前方に向かうにしたがって次第に下方に向かうように傾斜配置された傾斜壁部４２と、傾斜壁部４２の下端から折曲し下方に向かうにしたがって次第に後方に向かうように形成された折曲壁部４３と、を有している。
折曲壁部４３には、正面から見て下端から上方に向かって凹状に切り欠かれた開口凹部４１が形成されている。
【００１７】
図２に示すように、温風ノズル５は、前方に向かうにしたがって次第に下方に向かう第１傾斜方向Ａ１に延びる形状に形成されている。温風ノズル５は、筐体部４（図１参照）に固定された支持部５１によって、第１傾斜方向（所定の方向）Ａ１に進退可能に支持されている。
そして、温風ノズル５は、不使用時には筐体部４の開口凹部４１の後方に配置されて、使用時には第１傾斜方向Ａ１に前進して、開口凹部４１から前端部５ａ側が突出するように構成されている。
【００１８】
また、温風ノズル５は、温風発生器（不図示）から供給された温風を、前端部５ａ近傍に形成された吹き出し口５２から吹き出し可能に構成されている。この吹き出し口５２は、温風ノズル５が開口凹部４１から前方へ突出した状態で、便座３（図１参照）に着座した使用者の人体局部に温風を送風可能となるように斜め上方を向くように開口されている。
【００１９】
また、温風ノズル５には、吹き出し口５２を開閉可能な第２シャッター５３が取り付けられている。第２シャッター５３は、吹き出し口５２を閉鎖可能な板状に形成された第２シャッター本体５３ａと、第２シャッター本体５３ａの後端部が連結され温風ノズル５に対して回動可能に設けられた軸部５３ｂと、を有している。
軸部５３ｂの軸線は、左右方向に延びていて、第２シャッター本体５３ａは、軸部５３ｂを中心に回動することで、吹き出し口５２を開閉可能に構成されている。
【００２０】
この第２シャッター５３は、吹き出し口５２を閉鎖している状態において、吹き出し口５２から温風が吹き出ると、その風圧によって第２シャッター本体５３ａがその前端部側が上側に移動するように軸部５３ｂを中心に回動し、吹き出し口５２を開放するように構成されている。また、第２シャッター５３は、吹き出し口５２から温風が吹出していて吹き出し口５２を開放している状態において、温風の吹き出しが停止すると、第２シャッター本体５３ａの前端部側が重力によって下側に移動するように軸部５３ｂを中心に回動して吹き出し口５２を閉鎖するように構成されている。
【００２１】
第１洗浄ノズル６Ａおよび第２洗浄ノズル６Ｂは、前方に向かうにしたがって次第に下方に向かう第２傾斜方向Ａ２に延びる形状に形成されている。第１洗浄ノズル６Ａおよび第２洗浄ノズル６Ｂは、筐体部４に固定された支持部６１Ａ，６１Ｂによって、第２傾斜方向Ａ２にそれぞれ進退可能に支持されている。
【００２２】
そして、第１洗浄ノズル６Ａおよび第２洗浄ノズル６Ｂは、不使用時には開口凹部４１の後方に配置されて、使用時には第２傾斜方向Ａ２に前進して、開口凹部４１から突出するように構成されている。
そして、本実施形態では、第１洗浄ノズル６Ａおよび第２洗浄ノズル６Ｂは、モータ６２の駆動により、第２傾斜方向Ａ２にそれぞれ進退するように構成されている。
また、本実施形態では、第１洗浄ノズル６Ａは、便局部洗浄用のノズルとし、第２洗浄ノズル６Ｂは、ビデ洗浄用のノズルとしている。
【００２３】
図３に示すように、第１シャッター７は、開口凹部４１（図１参照）を閉塞可能な第１シャッター本体７１と、第１シャッター本体７１と係合し、第１シャッター本体７１を回動させて開口凹部４１を開閉させる開閉機構７２と、を有している。
第１シャッター本体７１は、開口凹部４１を閉塞可能な大きさの板状に形成された板部７３と、板部７３の後面に設けられた一対の山型凸部７４，７４と、開閉機構７２と係合する一対の係合部７５，７５と、を有している。
一対の山型凸部７４，７４は、一方の山形凸部７４Ａが後退した位置における第１洗浄ノズル６Ａ（図２参照）の前端部６ａの前方に対向配置され、他方の山形凸部７４Ｂが後退した位置における第２洗浄ノズル６Ｂ（図２参照）の前端部６ａの前方に対向配置されている。
【００２４】
山型凸部７４は、板部７３の後面から後方に延びる上壁部７４ａと、上壁部７４ａの後端から後方に向かうにしたがって次第に下方に向かうように形成された上側傾斜壁部７４ｂと、上側傾斜壁部７４ｂの後端から下方に延びるように形成された後壁部７４ｃと、を有している。
さらに、山型凸部７４は、後壁部７４ｃの後端から前方に向かうにしたがって次第に下方に向かうように形成された下側傾斜壁部７４ｄと、下側傾斜壁部７４ｄの下端から前方に延びるように形成され板部７３の後面に連結された下壁部７４ｅと、を有している。
【００２５】
開閉機構７２は、筐体部４（図１参照）に設けられた支持フレーム７６と、支持フレーム７６に支持された回動軸７７と、内部に回動軸７７が挿通され第１シャッター本体７１を支持する支持アーム７８と、第１シャッター本体７１が閉鎖する向きに支持アーム７８を付勢する付勢部７９と、を有している。
【００２６】
支持フレーム７６は、筐体部４にそれぞれ固定され左右方向に離間して配置された一対の支持フレーム本体９１，９１と、支持フレーム本体９１，９１どうしを連結する連結部９２と、を有している。
一対の支持フレーム本体９１，９１のうち、左側に配置される支持フレーム本体９１Ａには、左右方向に貫通し回動軸７７の軸本体９３が挿通可能な貫通孔９１ａが形成され、右側に配置される支持フレーム本体９１Ｂには、回動軸７７の軸本体９３の一方の端部（本実施形態では右側の端部）９３ａ側が左側から挿入されて回動軸７７が連結される孔部９１ｂが形成されている。
【００２７】
回動軸７７は、左右方向に延びる軸本体９３と、軸本体９３の他方の端部（本実施形態では左側の端部）９３ｂから後方に延びる第一折曲軸部９４と、第一折曲軸部９４の端部から軸本体９３の他端部に向かって延びる第二折曲軸部９５と、を有している。
【００２８】
支持アーム７８は、左右方向に離間して配置された一対の支持アーム本体９６，９６と、支持アーム本体９６，９６どうしを連結する連結部９７と、を有している。
支持アーム本体９６には、左右方向に貫通し回動軸７７の軸本体９３が挿通可能な貫通孔９６ａがそれぞれ形成されている。
また、支持アーム本体９６の前面には、後方に向かって凹む係合凹部９８がそれぞれ形成されている。この係合凹部９８には、第１シャッター本体７１の係合部７５が係合している。これにより、第１シャッター本体７１が、支持アーム７８と連結されている。
【００２９】
このような支持フレーム７６と支持アーム７８とは、支持アーム７８の一対の支持アーム本体９６，９６が支持フレーム７６の一対の支持フレーム本体９１，９１の内側となるように配置されている。そして、一方の支持フレーム本体９１Ａの貫通孔９１ａ、他方の支持フレーム本体９１Ｂの孔部９１ｂ、および一対の支持アーム本体９６，９６の貫通孔９６ａ，９６ａが左右方向に重なり、これらの貫通孔９１ａ，９６ａおよび孔部９１ｂに、一方の支持フレーム本体９１Ａ側（左側）から回動軸７７の軸本体９３が挿通されている。
【００３０】
このとき、回動軸７７の軸本体９３の一方の端部９３ａは、他方の支持フレーム本体９１Ｂの孔部９１ｂに挿入されている。また、回動軸７７の第二折曲軸部９５は、一方の支持フレーム本体９１Ａの後面に係合している。これにより、回動軸７７は、支持フレーム７６に固定されている。
そして、支持アーム７８は、回動軸７７の軸本体９３を中心に第１シャッター本体７１とともに回動可能に構成されている。
【００３１】
また、回動軸７７の軸本体９３は、傾斜壁部４２（図１参照）と折曲壁部４３（図１参照）との角部の下方に配置されていて、第１シャッター本体７１は、軸本体９３の前方且つ下方に配置されている。
また、第１洗浄ノズル６Ａ（図１参照）および第２洗浄ノズル６Ｂ（図１参照）は、一対の支持アーム本体９６，９６の内側に配置され、温風ノズル５（図１参照）は、一方の支持フレーム本体９１Ａの左側に配置されている。
【００３２】
また、軸本体９３には、他方の支持アーム本体９６Ｂおよび他方の支持フレーム本体９１Ｂとの間において付勢部７９が設けられている。そして、付勢部７９は、支持アーム７８に連結された第１シャッター本体７１が開口凹部４１（図１参照）を閉鎖する方向に、支持アーム７８を付勢している。
【００３３】
図４に示すように、リンク機構８は、温風ノズル５の側面に連設されて左右方向から見て下方に開口する略Ｕ字形状に形成されたＵ字形材８１と、Ｕ字形材８１に係合され第１シャッター７の支持アーム７８の一方の支持アーム本体９６Ａに連設されて支持アーム７８の回動に温風ノズル５（Ｕ字形材８１）を連動させる連動部８２と、を有している。
図４および図５に示すように、Ｕ字形材８１は、温風ノズル５の前端部５ａ近傍の右側の側面に固定されている。Ｕ字形材８１の略Ｕ字形の折れ曲り部８１ａの両側の一対の直線部８１ｂ，８１ｃは、温風ノズル５が進退する第１傾斜方向Ａ１に鉛直面内において直交する方向にそれぞれ延びている。そして、これらの一対の直線部８１ｂ，８１ｃは、温風ノズル５が進退する第１傾斜方向Ａ１に並んで配置されている。
【００３４】
図３および図４に戻り、連動部８２は、一方の支持アーム本体９６Ａの後部に連結された基部８３と、基部８３から左側（温風ノズル５側）に突出する丸棒状の突出部８４と、を備えている。突出部８４の先端部分は、Ｕ字形材８１の一対の直線部８１ｂ，８１ｃの間の空部８１ｄに挿入されていて、この空部８１ｄ内において移動可能に構成されている。
そして、基部８３および突出部８４は、支持アーム７８および第１シャッター本体７１と一体に回動軸７７の軸本体９３を中心に回動可能に構成され、回動する際には、Ｕ字形材８１以外の部材とは干渉しない位置に配置されている。
【００３５】
続いて、局部洗浄装置１の動作について図６乃至図１１に基づいて説明する。
ここでは、温風ノズル５が進退する第１傾斜方向Ａ１と、第１洗浄ノズル６Ａおよび第２洗浄ノズル６Ｂが進退する第２傾斜方向Ａ２とは、左右方向（図６乃至図１１の紙面に直交する方向）からみて重なる方向として説明する。
まず、局部洗浄装置１の局部洗浄機能および温風乾燥機能を不使用の状態について説明する。この状態では、図６に示すように、温風ノズル５、第１洗浄ノズル６Ａおよび第２洗浄ノズル６Ｂは後退して筐体部４内に収容されているとともに、第１シャッター本体７１は付勢部７９（図３参照）の付勢力により開口凹部４１を閉鎖している。
このとき、連動部８２の突出部８４は、Ｕ字形材８１の後側に配置されている直線部８１ｃに前方から当接し、Ｕ字形材８１を後方に押さえている。これにより、温風ノズル５が後方に押さえられて、第１シャッター本体７１の後方に収容された状態に維持されている。
【００３６】
上記の状態から、温風乾燥機能を作動させる指令が送られると、モータ６２（図２参照）が駆動し、第１洗浄ノズル６Ａが第２傾斜方向Ａ２に前進する。そして、第１洗浄ノズル６Ａは、前端部６ａが第１シャッター本体７１の山型凸部７４に当接し、第１シャッター本体７１を第２傾斜方向Ａ２へ押し出すように前進する。
【００３７】
本実施形態では、第１洗浄ノズル６Ａの前端部６ａが、まず山型凸部７４の後壁部７４ｃに当接する。すると、後壁部７４ｃには第１洗浄ノズル６Ａの前端部６ａから第２傾斜方向Ａ２の力が作用するため、支持アーム７８は第１シャッター本体７１とともに回動軸７７の軸本体９３を中心に前方且つ上方へ回動し始める。
【００３８】
このとき、連動部８２の突出部８４も、支持アーム７８とともに回動するため、Ｕ字形材８１の前側の直線部８１ｂと当接する。そして、突出部８４は、このＵ字形材８１の前側の直線部８１ｂと当接した状態で回動する。
このとき、突出部８４は、Ｕ字形材８１の一対の直線部８１ｂ，８１ｃの間の空部８１ｄ内で、直線部８１ｂ，８１ｃの延在方向に移動可能であるため、突出部８４からＵ字形材８１には、直線部８１ｂ，８１ｃの延在方向と直交する温風ノズル５が進退する第１傾斜方向Ａ１の力が作用する。これにより、Ｕ字形材８１は、温風ノズル５とともに温風ノズル５が進退する第１傾斜方向Ａ１に前進する。
【００３９】
そして、図７に示すように、第１洗浄ノズル６Ａが第２傾斜方向Ａ２に前進すると、支持アーム７８が回動し、第１洗浄ノズル６Ａの前端部６ａが山型凸部７４に当接する面は、後壁部７４ｃから後壁部７４ｃの上部に形成された上側傾斜壁部７４ｂへと移動する。
そして、第１洗浄ノズル６Ａがさらに第２傾斜方向Ａ２に前進すると、支持アーム７８がさらに回動し、第１洗浄ノズル６Ａの前端部６ａが山型凸部７４に当接する部分は、上側傾斜壁部７４ｂの上側から下側へと移動する。
そして、図８に示すように、第１洗浄ノズル６Ａがさらに第２傾斜方向Ａ２に前進すると、支持アーム７８がさらに回動し、山型凸部７４が第１洗浄ノズル６Ａの前端部６ａよりも上方に配置され、第１シャッター本体７１は、開口凹部４１を開き切った状態となる。
なお、第１シャッター本体７１が開口凹部４１を開き切った状態となるまで、第１シャッター本体７１（支持アーム７８）とともに突出部８４が回動する。そして、この突出部８４の回動に連動して、温風ノズル５が第１傾斜方向Ａ１に前進する。
【００４０】
そして、第１シャッター本体７１が開き切った状態となると、モータ６２（図２参照）の駆動が停止し、第１洗浄ノズル６Ａの前進が停止する。その結果、第１シャッター本体７１の回動が停止され、温風ノズル５の前進も停止する。
そして、第１洗浄ノズルの前進が停止されると、温風ノズル５に温風が供給され、温風によって第２シャッター５３が吹き出し口５２を開放し、便座３（図１参照）に着座した使用者の局部に温風を吹き出すことができる。
このとき、第１洗浄ノズル６Ａは、第１シャッター本体７１を開放し、温風ノズル５を前進させるために動いているため、第１洗浄ノズル６Ａで使用者の人体局部の洗浄を行う場合と比べて、開口凹部４１からの突出量は少なくなるように設定されている。
【００４１】
続いて、温風乾燥機能を停止させる指令が送られると、温風ノズル５への温風の供給が停止し、温風ノズル５の第２シャッター５３が吹き出し口５２を閉鎖する。そして、図９に示すように、モータ６２（図２参照）の駆動によって第１洗浄ノズル６Ａが第２傾斜方向Ａ２に後退する。
そして、第１洗浄ノズル６Ａが第２傾斜方向Ａ２に後退すると、付勢部７９の付勢部によって、第１シャッター本体７１が開口凹部４１を閉鎖する方向に回動支持アーム７８が回動する。このとき、図９に示すように、突出部８４が後方に向かうように回動し、Ｕ字形材８１の後側の直線部８１ｃと当接する。そして、突出部８４は、このＵ字形材８１の後側の直線部８１ｃと当接した状態で回動する。
【００４２】
そして、第１洗浄ノズル６Ａがさらに第２傾斜方向Ａ２に後退すると、回動支持アーム７８がさらに回動し、図１０に示すように、第１洗浄ノズル６Ａの前端部６ａが山型凸部７４の上側傾斜壁部７４ｂに当接する。
そして、第１洗浄ノズル６Ａがさらに第２傾斜方向Ａ２に後退すると、回動支持アーム７８がさらに回動し、図１１に示すように、第１洗浄ノズル６Ａの前端部６ａが山型凸部７４の上側傾斜壁部７４ｂと離間し、第１シャッター本体７１が開口凹部４１を閉鎖する。
このとき、突出部８４も後方に向かうように回動し、Ｕ字形材８１を介して温風ノズル５が第１傾斜方向Ａ１へ後退する。
【００４３】
そして、第１シャッター本体７１が開口凹部４１を閉鎖して回動が停止すると、温風ノズル５の移動が停止し、温風ノズル５および第１洗浄ノズル６Ａが筐体部４の内部に収容され、開口凹部４１が第１シャッター本体７１に閉鎖された状態となる。
なお、第１洗浄ノズル６Ａは、局部洗浄機能を作動させる指令が送られた場合は、温風乾燥機能を作動させる指令が送られた場合よりも前方に前進し、この位置において使用者の局部洗浄を行うように構成されている。
【００４４】
次に、上述した本実施形態による局部洗浄装置１の作用・効果について図面を用いて説明する。
本実施形態による局部洗浄装置１では、第１洗浄ノズル６Ａの進退による第１シャッター本体７１の開閉動作に連動させて温風ノズル５を所定の方向（第１傾斜方向Ａ１）へ進退させることができるため、温風ノズル５を進退させるためのモータなどを設置しなくても温風ノズル５を所定の方向へ進退させることができて、局部洗浄装置１の製造コストを削減することができる。
【００４５】
また、温風ノズル５は、前端部５ａ近傍に温風の吹き出し口５２が形成されていて、吹き出し口５２は斜め上方に向かって開口していることにより、温風の吹き出し口５２から吹き出た温風を確実に使用者の人体局部に届かせることができて、効率よく乾燥を行うことができる。
また、温風ノズル５は、第１傾斜方向に進退可能で、前進した位置で使用者の人体局部に温風を吹き出すように構成されているため、第１シャッター本体７１によって温風が遮られることがなく、使用者が快適に使用することができる。また、第１シャッター本体７１に温風を遮らないための凹部などを形成する必要がなく、意匠性を損なうことがない。
【００４６】
以上、本発明による局部洗浄装置の実施形態について説明したが、本発明は上記の実施形態に限定されるものではなく、その趣旨を逸脱しない範囲で適宜変更可能である。
例えば、上記の実施形態では、第１シャッター７の回動に連動させて温風ノズル５を進退させているが、第１シャッター７以外の第１洗浄ノズル６Ａや第２洗浄ノズル６Ｂの進退に連動させて温風ノズル５を進退させるように構成してもよい。
また、上記の実施形態では、第１シャッター７は、第１洗浄ノズル６Ａや第２洗浄ノズル６Ｂの進退によって開口凹部４１を開閉可能に構成されているが、第１洗浄ノズルや第２洗浄ノズル６Ｂの進退以外による開閉機構によって開口凹部４１を開閉可能に構成されていてもよい。この場合、第１シャッター７の開閉に連動して第１洗浄ノズル６Ａや第２洗浄ノズル６Ｂがリンク機構によって進退するように構成されていてもよい。
【００４７】
また、上記の実施形態では、第１シャッター本体７１は、開閉機構７２を介して筐体部４に取り付けられているが、筐体部４以外に装着されていてもよい。例えば、温風ノズル５や洗浄ノズル６Ａ，６Ｂなどがユニットとして構成されていて、このユニットを構成する部材に第１シャッター本体７１が所定の開閉機構を介して取り付けられていてもよい。
また、上記の実施形態では、温風ノズル５の吹き出し口５２に第２シャッター５３が設けられているが、設けられていなくてもよい。
また、上記の実施形態では、温風ノズル５の吹き出し口５２は斜め上方に向かって開口しているが、これ以外の向きに開口していてもよい。
【符号の説明】
【００４８】
１  局部洗浄装置
２  機能部
３  便座
４  筐体部
５  温風ノズル（第１ノズル）
６Ａ，６Ｂ  洗浄ノズル（第２ノズル）
７  第１シャッター
８  リンク機構
４１  開口凹部（開口部）
５２  吹き出し口
５３  第２シャッター
６２  モータ
Ａ１  第１傾斜方向（所定の方向）
【図１】
0006383212.tif 000002
【図２】
0006383212.tif 000003
【図３】
0006383212.tif 000004
【図４】
0006383212.tif 000005
【図５】
0006383212.tif 000006
【図６】
0006383212.tif 000007
【図７】
0006383212.tif 000008
【図８】
0006383212.tif 000009
【図９】
0006383212.tif 000010
【図１０】
0006383212.tif 000011
【図１１】
0006383212.tif 000012